(57)【要約】【課題】噴流発生装置により、酸素と水酸化ナトリウムを加えて魚介類生息水の活性化を行う。【解決手段】飼育槽２の生息水を濾過槽１５に回収する。濾過槽１５で濾過された生息水をポンプ１２で汲み上げ活性水槽４に設けた噴流発生装置７に導く。この噴流発生装置７は、酸素供給装置５から酸素を、又薬液注入装置６から水酸化ナトリウムの供給を受けて、生息水を撹拌噴流化して活性化させる。噴流化された活性水は、活性水槽４に貯留された後、必要に応じ落差を利用した自然流で、供給管路５０、噴出装置５４、濾過砂部１４を介して飼育槽２に供給される。このように、生息水は循環してたえず活性化される。【選択図】        図１
2004208648.tif 000002
【特許請求の範囲】
【請求項１】
魚介類生息水を貯留して魚介類を生息させるための飼育槽と、
この飼育槽の水面より高い位置に底面を有するように設けられ、前記魚介類生息水を活性化して貯留する活性水槽と、
前記飼育槽の近傍に設けられ、前記魚介類生息水を濾過する濾過槽と、
この濾過槽で濾過された前記魚介類生息水を前記濾過槽から前記活性水槽へ供給するポンプと、
前記活性水槽に設けられ、前記ポンプを介して供給された前記魚介類生息水を渦流にして噴流を発生させ、前記活性水槽に排出させる内部空間の有する噴流発生装置と、
この噴流発生装置に少なくとも酸素を含む気体を供給する気体供給装置と、
前記噴流発生装置に水酸化ナトリウムを供給する薬液注入装置と、
一方の側が前記活性水槽に連結され、他方の側が前記飼育槽に配設され、前記活性水槽の活性水を前記飼育槽に落差を利用して供給する供給管路と、
前記飼育槽の前記魚介類生息水を前記濾過槽に導く回収管路とからなり、
前記飼育槽から回収された前記魚介類生息水を前記噴流発生装置により酸素と水酸化ナトリウムの加えられた混合撹拌噴流で活性水にし、この活性水を落差を利用して再度前記飼育槽に供給するようにしたことを特徴とする魚介類生息水の活性化システム。
【請求項２】
請求項１に記載の魚介類生息水の活性化システムにおいて、
前記噴流発生装置の内部空間Ｖは、３次元の箱状の空間で扁平であり、前記空間の概ねの高さをＨで、それの概ねの幅をＷで表し、前記ノズルの開口の有効直径をＤ１で表すと、前記噴流は長さ方向に向いて前記空間の概ねの中心線の方向に噴射され、前記渦流の発生条件として、Ｄ１＜Ｈ、且つ、Ｗ／Ｈ＞４、であることを特徴とする魚介類生息水の活性化システム。
【請求項３】
請求項１に記載の魚介類生息水の活性化システムにおいて、
前記噴流発生装置の内部空間Ｖは、３次元の箱状の空間で扁平であり、前記空間の概ねの高さをＨで、それの概ねの幅をＷで表し、鉛直（垂直）方向の長さをＬ１とし、前記ノズルの開口の有効直径をＤ１で表すと、前記渦流の発生条件として、Ｄ１＜Ｈ、Ｗ／Ｈ＞４、且つ、Ｈ＜Ｌ１、の関係にあることを特徴とする魚介類生息水の活性化システム。
【請求項４】
請求項１ないし３項のいずれか１項に記載された魚介類生息水の活性化システムであって、
前記飼育槽は、底面部から所定距離離隔した位置に設けられた濾過砂部と、
前記供給管路の一端に連結し前記底面部下に設けられた噴出装置とを有し、前記活性水は前記供給管路を介し前記噴出装置に導かれ前記濾過砂部を介して前記飼育槽に供給される構成としたことを特徴とする魚介類生息水の活性化システム。
【請求項５】
請求項４に記載された魚介類生息水の活性化システムであって、
前記噴出装置は穴の設けられた複数のパイプを敷設したノズル構成のものであることを特徴とする魚介類生息水の活性化システム。
【請求項６】
請求項１ないし５項のいずれか１項に記載された魚介類生息水の活性化システムであって、
前記魚介類はえびであることを特徴とする魚介類生息水の活性化システム。
【発明の詳細な説明】
【０００１】
【発明の属する技術分野】
本発明は、噴流発生装置を利用して飼育槽の魚介類生息水の活性化を行うシステムに関する。更に詳しくは、噴流発生装置に酸素と水酸化ナトリウムを加えて混合撹拌し噴出させ、飼育槽の魚介類生息水を活性化させるシステムに関する。
【０００２】
【従来の技術】
えびを含む活魚の輸送については、従来から水温を下げたり、麻酔状態にしたり等種々の方法が試みられている。活魚は捕獲されたときの新鮮な状態を長時間維持して、新鮮な状態のまま、使用者に渡すようにすることが理想的である。活魚の新鮮な状態を維持する上で、生息水中の酸素濃度が影響する。又生息水中には、二酸化炭素が含まれていて、これの濃度の影響も大きい。一般に魚介類は輸送中等に酸素を消費して二酸化炭素を排出する。
【０００３】
この結果、生息水の酸素濃度の割合が減ることになる。又生息水は酸性になり、ｐＨ値が下がり魚介類の生活環境は悪化する。魚介類は血中の二酸化炭素濃度が高くなると、ヘモグロビンの酸素結合率が低下する。このように二酸化炭素の濃度が高くなると魚介類の生存率も落ち、魚介類の肉質も変わることから、極力二酸化炭素の濃度が高くならないような方法が従来から行われている。この従来の技術として、イワシの養殖において、二酸化炭素の濃度を下げる方法が提案されている（例えば、特許文献１参照）。
【０００４】
この方法は、蓄養水の一部を循環し、この循環水を冷却して蓄養水の水温を０℃〜２５℃の範囲で低温に保持し、かつ循環水を空気又は及び酸素ガスを用いて曝気することによって、酸素の溶解とともに二酸化炭素の部分的な放出除去を行う。次いで循環水を二酸化炭素吸収薬剤で処理することにより残留する二酸化炭素を除去する。そして、処理した循環水を蓄養水槽に返送することによって蓄養水の酸素を補給するとともに蓄養水中の二酸化炭素濃度を１０ｐｐｍ以下に保つようにしたことを特徴としている。
【０００５】
又、従来の技術には、飼育水槽に連通している循環濾過装置に、有機物分解細菌培養槽、脱窒細菌培養槽等を構成し、６ヶ月以上の長期間にわたって魚介類を飼育し得るようにしているものがある（例えば、特許文献２参照）。更に、従来の技術には、水槽の水を循環させる流路に噴流で空気を吸引する空気供給手段等を設け、水槽中のアンモニア等を分解し、魚溶水槽の浄化を行うものもある（例えば、特許文献３参照）。
【０００６】
しかし、最近はさらに生息環境基準への要求が厳しくなり、従来の技術よりさらに効率のよい活性化方法の開発が望まれている。本出願人は、キャビテーションを発生させて有機物等を分解、又は酸素、水等を混合攪拌する噴流箱を提案した（特許文献４参照）。この噴流発生箱は、主にキャビテーションを発生させるためのものであるから、酸素と飼育水を効率よく混合するものではなく、かつキャビテーションを発生するものであるから、エネルギー効率上も良くない。
【０００７】
【特許文献１】
特公昭６１−２７０１４号公報
【特許文献２】
特開平１１−２２５６１６号公報
【特許文献３】
特開平５−２１９８５９号公報
【特許文献４】
特開２０００−５６３号公報
【０００８】
【発明が解決しようとする課題】
魚介類を活魚として長時間生息させる場合は、観賞用として水槽で生息させる場合、養殖用として養殖を行う場合、活魚として運搬する場合等種々の形態がある。従来から長時間生息環境を維持させる目的で、水槽の水温を低くするとか、空気を供給するとか、魚介類自体を睡眠させるとか、色々なされている。生息環境を悪化させる原因としては、酸素不足、二酸化炭素の蓄積、排泄による汚濁化、これらに伴ってのｐＨ値の低下、更に細菌の繁殖等が上げられる。
【０００９】
それぞれに従来からその対策はこうじられているが、長期間にわたる場合、特に二酸化炭素の蓄積は、相対的に酸素欠乏にも結びつき、水温を高める等もあって大きい問題を含んでいる。又、排泄物等から溶出する燐酸成分が水中のカルシウムイオン等と結合反応し、アルカリ度が低下、即ちｐＨ値が低下する等水質劣化を招くことは従来からよく知られている。このことによる具体的な現象は、魚の生理において、血中のヘモグロビンが血中に増加したＣＯ２とｐＨ値の低下によって酸素結合反応の効率が低下することである。
【００１０】
水槽に二酸化炭素量が多くなると、相対的に酸素量は減ることになる。このため、多量の二酸化炭素が存在すると、ヘモグロビンと酸素の結合がとぎれ、ヘモグロビンの酸素結合率は低下する。即ち、水槽中の魚介類はたえず呼吸して排泄をしているので、その排泄された二酸化炭素は水槽中に蓄積する。このため、水槽の水は酸性になる傾向がある。溶存二酸化炭素の量が増加すると、魚介類からの二酸化炭素の排泄が抑制され、二酸化炭素の血中濃度が高くなってしまうのである。このことは、ｐＨ値を低下させることになり、実質的に溶存酸素量が低下することになる。
【００１１】
又、水槽中には、化学物質などヘモグロビンと酸素の結合を阻害しているものが多く存在している。又更なる現象は、甲殻類が脱皮後の殻形状において遅れが生じ、共食い誘発の原因ともなっていることである。前述した従来の技術はいずれもこれらの現象に対しては効果的なものでなく、さらなる改善が望まれている。
【００１２】
本発明は、前述のような社会環境や技術的背景に基づいてなされたものであり、下記のような目的を達成する。
本発明の目的は、噴流発生装置に酸素と水酸化ナトリウムを供給し飼育槽の魚介類生息水を活性化させ、長期間安定して生息のできる魚介類生息水の活性化システムを提供することにある。
本発明の他の目的は、浄化効果を高め、二酸化炭素を減じ、溶存酸素濃度を高め、ｐＨ値を高めて酸性化を防止して活性化された活性水の供給を行う魚介類生息水の活性化システムを提供することにある。
本発明のさらに他の目的は、活性水槽から一つ又は複数の飼育槽への活性水の供給を、重力の利用即ち落差による自然流で行うことにより、システムのコンパクト化および低コスト化を実現した魚介類生息水の活性化システムを提供することにある。
【００１３】
【課題を解決するための手段】
本発明は、前記目的を解決するため、次の手段を採る。
発明１の魚介類生息水の活性化システムは、
魚介類生息水を貯留して魚介類を生息させるための飼育槽と、この飼育槽の水面より高い位置に底面を有するように設けられ、前記魚介類生息水を活性化して貯留する活性水槽と、前記飼育槽の近傍に設けられ、前記魚介類生息水を濾過する濾過槽と、この濾過槽で濾過された前記魚介類生息水を前記濾過槽から前記活性水槽へ供給するポンプと、前記活性水槽に設けられ、前記ポンプを介して供給された前記魚介類生息水を渦流にして噴流を発生させ、前記活性水槽に排出させる内部空間の有する噴流発生装置と、この噴流発生装置に少なくとも酸素を含む気体を供給する気体供給装置と、前記噴流発生装置に水酸化ナトリウムを供給する薬液注入装置と、一方の側が前記活性水槽に連結され、他方の側が前記飼育槽に配設され、前記活性水槽の活性水を前記飼育槽に落差を利用して供給する供給管路と、前記飼育槽の前記魚介類生息水を前記濾過槽に導く回収管路とからなり、前記飼育槽から回収された前記魚介類生息水を前記噴流発生装置により酸素と水酸化ナトリウムの加えられた混合撹拌噴流で活性水にし、この活性水を落差を利用して再度前記飼育槽に供給するようにしたことを特徴としている。
【００１４】
発明２の魚介類生息水の活性化システムは、発明１において、
前記噴流発生装置の内部空間Ｖは、３次元の箱状の空間で扁平であり、前記空間の概ねの高さをＨで、それの概ねの幅をＷで表し、前記ノズルの開口の有効直径をＤ１で表すと、前記噴流は長さ方向に向いて前記空間の概ねの中心線の方向に噴射され、前記渦流の発生条件として、Ｄ１＜Ｈ、且つ、Ｗ／Ｈ＞４、であることを特徴としている。噴流発生装置の内部空間に最も効率のよい渦流を伴ったキャビテーション噴流を形成することができる。
【００１５】
発明３の魚介類生息水の活性化システムは、発明１において、
前記噴流発生装置の内部空間Ｖは、３次元の箱状の空間で扁平であり、前記空間の概ねの高さをＨで、それの概ねの幅をＷで表し、鉛直（垂直）方向の長さをＬ１とし、前記ノズルの開口の有効直径をＤ１で表すと、前記渦流の発生条件として、Ｄ１＜Ｈ、Ｗ／Ｈ＞４、且つ、Ｈ＜Ｌ１の関係にあることを特徴としている。噴流発生装置に内部空間に最も効率のよいコアンダ効果のある噴流を形成することができる。
【００１６】
発明４の魚介類生息水の活性化システムは、発明１から３において、
前記飼育槽は、底面部から所定距離離隔した位置に設けられた濾過砂部と、前記供給管路の一端に連結し前記底面部下に設けられた噴出装置とを有し、前記活性水は前記供給管路を介し前記噴出装置に導かれ前記濾過砂部を介して前記飼育槽に供給される構成としたことを特徴としている。
【００１７】
発明５の魚介類生息水の活性化システムは、発明１から４において、
前記噴出装置は穴の設けられた複数のパイプを敷設した構成のものであることを特徴としている。
発明６の魚介類生息水の活性化システムは、発明１から５において、
前記魚介類はえびであることを特徴としている。
【００１８】
【発明の実施の形態】
次に、本発明の実施の形態を図面に従って説明する。図１は、本発明の魚介類生息水の活性化システムの全体を示す全体説明図、図２は、その魚介類生息水の活性化システムをブロックで示したブロック図である。図３は、濾過槽と飼育槽との関係を示す平面図、図４は、噴流発生装置７を模式的に示した説明図、図５は、飼育槽に活性化された活性水を供給するための噴出装置を示す平面図である。
【００１９】
魚介類生息水の活性化のためのシステムは、魚介類生息水活性化装置１と、活性化された活性水が供給される魚介類生息のための飼育槽２から構成されている。魚介類生息水活性化装置１で活性化された活性水は、供給管路５０を通して活性化対象の魚介類生息水槽即ち飼育槽２に供給され、魚介類は、この飼育槽２で生息している。
【００２０】
魚介類生息水活性化装置１は、ベース３の上部に活性水槽であるタンク４が設けられ、ベース３の下部には濾過槽１５が設けられている。タンク４と濾過槽１５との間には、排水管路６１が設けられ、タンク４の活性水が所定の高さ以上になると、濾過槽１５に排水される。濾過槽１５には、ＭｇＯＨ・ＣａＣＯ３等の濾過部材が収納されている。タンク４に隣接して酸素供給装置５と薬液注入装置６が設けられている。又、タンク４には、噴流発生装置７が組み込まれている。
【００２１】
この噴流発生装置７には酸素供給装置５と薬液注入装置６が管路（図示せず）を介して接続されていて、酸素供給装置５からは酸素が、又薬液注入装置６からは水酸化ナトリウムが、噴流発生装置７に供給される。酸素供給装置５は酸素ボンベのバルブを、例えばレギュレーターを１ｌ（リットル）／ｍｉｎ、又は２ｌ（リットル）／ｍｉｎと調整して開け、酸素を噴流発生装置７へ供給する。この酸素供給量の制御は、魚介類の習性により供給を行う。例えば、夜行性の車エビ等は昼間は空気に含まれている酸素だけでも良く、夜間のみに酸素を供給する方法であっても良い。従って、酸素供給装置５は必ずしも必須のものではない。
【００２２】
又薬液注入装置６は、定量ポンプ等からなるものであり、飼育のために魚介類を長く静かに泳がせるような場合に有効で、ｐＨ値が低下することを考慮して、タイマーで設定された指定時間稼動し、ｐＨ調整剤である水酸化ナトリウムが供給される。この酸素と水酸化ナトリウムの供給量及び供給時間は、飼育槽２の条件によって設定される。飼育水、又は生息水等の制御対象の水、又は海水が常に設定された範囲のｐＨに保つように制御される。その操作及び制御のための制御盤（図示せず）がタンク４、ベース３等に隣接されて設けられている。
【００２３】
このように、ベース３上に各装置が全て取り付けられるようになっていて、コンパクトに構成されている。従って、この装置を移動する場合は、ベース３を持ち上げることで容易に行うことができる。濾過槽１５内の魚介類生息水は、濾過槽１５の下部に設けられた吐出口１５ａから、ポンプ１２を介して噴流発生装置７に供給管路１３を経て供給される。すなわち、魚介類生息水は、飼育槽２、回収管路６２、濾過槽１５、ポンプ１２、供給管路１３、及び噴流発生装置７と循環して流れ活性化される。
【００２４】
活性化対象の魚介類生息水槽は、例えば、活魚輸送用の水槽、あるいは輸送途中の一時的収納用の水槽、又養殖用の水槽、金魚等の観賞用の水槽等の飼育槽２である。この飼育槽２の活性化すべき生息水は、その上層の生息水が回収管路６２を介して魚介類生息水活性化装置１の濾過槽１５に回収される。回収された生息水は、前述したように、濾過槽１５で濾過され、噴流発生装置７によって酸素と水酸化ナトリウムの供給を受けて混合撹拌される。
【００２５】
混合撹拌された生息水は、活性化されてタンク４内に貯留される。タンク４下部に設けられた吐出口４ａから供給管路５０を介して飼育槽２に活性化された活性水として供給される。タンク４は全体が飼育槽２より高い位置に配置されているので重力による落差で、活性水は自然流の形でタンク４より飼育槽２に供給される。供給管路５０は、供給パイプ５１、流量調整弁５２、及び流量計５３から構成され、図５に示すように複数のノズル５５を有する噴出装置５４に連結している。
【００２６】
すなわち、流量調整弁５２で調整された所定の流量の活性化された活性水が飼育槽２に供給される。飼育槽２の底面部から所定距離離隔した位置には、活性水通過可能なスノコ状、穴あき板状の中間部板２ａが設けられ、更にこの中間部板２ａの上部に濾過砂利１４ｂ、濾過砂１４ａが堆積された濾過砂部１４が設けられている。噴出装置５４のノズル５５は飼育槽２の底板部と濾過砂部１４との間に設けられ、ノズル５５に形成された複数の噴出穴５５ａから噴出する。そして、この活性化された活性水は濾過砂部１４を通過し、えび等魚介類が生息する飼育槽２の生息部に供給される。
【００２７】
魚貝類の排泄物等の浮遊物が含まれ汚濁し活性化が必要な生息水は、飼育槽２の上方にから回収管路６２を介して濾過槽１５に回収される。このように、タンク４から飼育槽２への活性化された活性水の供給、又、飼育槽２から濾過槽１５への活性化が必要な生息水の回収にはポンプ等の動力を必要としないので、システムの構成を簡素にすることができる。また、図３のように複数（この実施形態では５個）の飼育槽２ａ、２ｂ、・・２ｅがあっても管路を各々に配管するだけでよく、簡素な構成とすることができる。
【００２８】
又、タンク４から飼育槽２への活性化された活性水の供給は、落差を利用した自然流であり、活性水は飼育槽下方向から湧き出すような状態となり、魚介類にとって好適な環境となる。メンテナンス等のためにタンク４を空にしなければならないときは、タンク４内の活性水は下部の排水バルブ１７ａにより、又、飼育槽２の生息水は下部の排水バルブ１７により外部、又は濾過槽１５に排水することができる。
【００２９】
次に、魚介類生息水活性化装置１の主要部をなす噴流発生装置７について説明する。図４に従って、本発明に関わる噴流発生装置７の噴流発生原理について説明する。この噴流発生原理はコアンダ効果を利用し噴流を発生させるものである。図４は、噴流発生装置７を模式的に示した説明図である。
【００３０】
一般に水力機械等において、キャビテーションは振動や材料の腐食、破損をもたらすので避けなければならないが、本発明の魚介類生息水活性化装置１においては、生息水の酸素濃度の向上、又アルカリ化等に積極的にこの現象を利用するものである。ベルヌーイの定理が成立するところでは、キャビテーションは当然発生しない。
【００３１】
前述のコアンダ効果は、流体が壁に引き寄せられる現象をいい、噴流においては、ウオータージェットが内部空間Ｖの壁に引き寄せられ渦を発生させる。さらに、噴流では渦が左右交互に発生する発信現象が伴う。このコアンダ効果を図４によって説明する。噴流発生装置７の基部をなす噴流発生箱２０は、扁平の長方体状のものである。長手方向が鉛直になるように配置されている。噴流発生箱２０の上面には、加圧された生息水等をポンプユニット２６から供給し下方に噴射させる噴射ノズル２１が固定されている。
【００３２】
噴射ノズル２１は、断面が円筒の環状空間である。噴流発生箱２０の内部には区画された噴流発生室２２が形成されている。噴流発生室２２の内部空間Ｖは、３次元の箱状の空間で扁平であり、空間の概ねの高さをＨで、それの概ねの幅をＷで表し、鉛直（垂直）方向の長さをＬ１とし、噴射ノズル２１の開口の有効直径をＤ１とすると、概略すると前述のように、渦流の発生条件として、Ｄ１＜Ｈ、Ｗ／Ｈ＞４、且つＨ＜Ｌ１の関係にある。ただし、前記関係に加えてＷ＜Ｌ１の関係にあるものが好ましい。噴射ノズル２１から噴出された主噴流２３は、鉛直方向で内部空間Ｖの概ねの中心線の方向に噴射される。
【００３３】
主噴流２３が噴射されると噴流発生室２２の８つの隅にはコアンダ効果により低圧渦である付着渦２４が発生し、主噴流２３には付着噴流が発生する。噴流発生室２２において、主噴流２３が、２方向のいずれにも分かれて流れる状態が、図４に示されているが、この流れは不安定であるので、他方の流れに切り替わる。即ち、主噴流２３は不安定であり揺れながら流れが発生することになる。これらの噴流は、生息水と酸素等の気体、生息水と水酸化ナトリウム等の液体を均一に混合、撹拌する機能がある。内部空間Ｖで微細化された気泡を含む噴流は排出口２７よりタンク４内に排出される。
【００３４】
コアンダ効果は、前述した寸法条件でなくてもその効果はあるが、好ましくは前述した条件にすれば図に示すように内部空間に渦流の伴った噴流が発生し効果的である。この噴流はいずれかの方向に片寄った流れになり、交互に揺動する。図４には、噴射ノズル２１の中心に空気吸入管２５を配置した例を示している。これは噴射ノズル２１から噴射される生息水の負圧により空気等を大気中から引き込むためのものである。
【００３５】
本実施の形態においては、大気から空気の吸入は行わず、空気吸入管２５に酸素供給管２５ａ及び水酸化ナトリウム供給管２５ｂを接続させている。このように渦流の伴った噴流の流れを発生させることにより、前述したように気泡を微細化することができ溶存酸素濃度を高めることになり、更に水酸化ナトリウムを加え、生息水のアルカリ濃度を高めるのに寄与している。このように、生息水は、図２のブロック図に示すように飼育槽２（２ａ、２ｂ、２ｃ、２ｄ、及び２ｅ）、濾過槽１５、タンク４等の間を循環し、活性化される。
【００３６】
次に、魚介類生息水活性化装置１の動作について説明する。薬液状態の設定及び酸素供給状態に設定及びタイマー等の設定を行い、各装置のスイッチを入れ動作を確認してから制御盤の運転スイッチを入れ始動させる。始動とともに生息水は濾過槽１５からポンプ１２を介して噴流発生装置７に送られ、噴流化した後、前述のように活性化された活性水としてタンク４に排出される。排出された活性水は貯留され必要に応じ落差を利用して飼育槽２に供給される。これらの動作は全て自動的に行われる。
【００３７】
前述のように、飼育槽の魚介類はたえず二酸化炭素を排泄しており、その二酸化炭素は、水への化学的溶解特性がブンゼンの吸収係数において、空中のＯ２やＮ２の２８．３〜５４．６倍も高い。このため、魚介類の生息する水槽においては、排出されたＣＯ２が次の反応式のように水のｐＨ値を急激に低下させてしまう。
【００３８】
ＣＯ２＋Ｈ２Ｏ→Ｈ２ＣＯ３（ＨＣＯ３−＋Ｈ＋）
本発明は、これを解決するために、前述の噴流発生装置７により噴流化させると同時に、このイオン化した分子に、中和剤として水酸化ナトリウム（ＮａＯＨ）を加えて溶解し、次の反応式で示されるように反応させｐＨ値を高めるようにした。
【００３９】
（Ｎａ＋  ＋ＯＨ−）＋（ＨＣＯ３−＋Ｈ＋）→ＮａＨＣＯ３＋Ｈ２Ｏ
又、噴流発生装置７は、中和剤の添加速度をコントロールし、微細な水滴で反応を進めさせることで効果がある。前述のように、活性化されてタンク４に貯留された活性水は、落差を利用した自然流で、飼育槽２には濾過砂部１４を介して供給される。自然な状態にきわめて近いので魚介類にとっては、飼育槽２がやさしい環境となるという効果がある。
【００４０】
［その他の実施の形態］
以上詳記したように、噴流発生装置７を基本とする本発明は、種々な形態の生息水活性化システムに適用することが可能である。従って、本実施の形態の記載内容に限定されないことはいうまでもない。例えば、前述した噴流発生装置７には、酸素を供給するものであったが、飼育する魚介類によって、又は時間帯によっては空気のみを供給するものであっても良い。
【００４１】
更に、前述したノズル５５は、飼育槽２の形状に合わせ、湾曲形状であってもよい。また、飼育槽２に、エアレーション７２や目に見えない微細な残餌や粘液を泡の浮力で取り除くためのプロテインスキマー等を設けるようにしてもよい。さらに、濾過槽１５に泡沫分離装置７１を設け、泡を分離除去するようにしてもよい。更に、生息水の温度を一定にするための加温、又は冷却装置を設置しても良い。
【００４２】
【実施例】
飼育魚貝類：車エビ、飼育槽２の容量：１．７ｍ２、濾過槽１５の砂内の流速：７０Ｌ（リットル）／ｍｉｎ、酸素濃度：１００％以上、ポンプ１２の吐出圧力：６８．６〜６．９Ｎ／ｃｍ２（７〜０．７Ｋｇ／ｃｍ２）
【発明の効果】
以上詳記したように、本発明は、飼育槽から回収された魚介類生息水に噴流発生装置を利用し、酸素と水酸化ナトリウムを混合撹拌し噴流状態の活性水にして、更に濾過砂部を介して飼育槽に供給するようにした。この結果、えび等のデリケートな環境を要する魚介類が長期間安定して生息のできる活性化システムとなった。また、生息水は二酸化炭素を減じ、溶存酸素濃度を高め、ｐＨ値を高めて酸性化を防止し活性化された活性水とすることができた。
【００４３】
更に、魚介類生息水の活性化装置は、高い位置に設置することで、活性水槽から飼育槽へ活性化された活性水を落差を利用した自然流で供給することができるため、強制的に供給するポンプ等は必要なく、システムはコンパクトで低コストとなった。特に、一つの活性水槽から複数の飼育槽に活性水を分配供給する場合には有効である。
【図面の簡単な説明】
【図１】図１は、魚介類生息水の活性化装置を組み込んだシステムの全体説明図である。
【図２】図２は、魚介類生息水の活性化装置を組み込んだシステムのブロック図である。
【図３】図３は、濾過槽と飼育槽との関係を示す平面図である。
【図４】図４は、噴流発生装置を模式的に示した説明図である。
【図５】図５は、飼育槽に活性化された活性水を供給するための噴出装置でノズル構成を示す平面図である。
【符号の説明】
１…魚介類生息水活性化装置
２…飼育槽
３…ベース
４…活性水槽（タンク）
５…酸素供給装置
６…薬液注入装置
７…噴流発生装置
１２…ポンプ
１３…供給管路
１５…濾過槽
５０…供給管路
６１…排水管路
６２…回収管路
【図１】
2004208648.tif 000003
【図２】
2004208648.tif 000004
【図３】
2004208648.tif 000005
【図４】
2004208648.tif 000006
【図５】
2004208648.tif 000007